(57)【要約】【課題】  送信端末のユーザのプライバシを保護するとともに、送信端末が正常に稼動していることを受信端末のユーザに把握させる。【解決手段】  送信端末の映像撮像装置が回転されて、送信端末のユーザの映像が受信端末で受信されていない場合、受信端末の映像出力部には送信端末のユーザの名前表示部２３０６、静止画表示部２３０４に加え、送信端末側の部屋の状況を示す、照度情報表示部２３０８と音量情報表示部２３１０とを含む画像が、リアルタイムに表示される。【選択図】        図１０
2007027986.tif 000002
【特許請求の範囲】
【請求項１】
映像を撮像するための撮像手段と、
受信端末と通信するための通信手段と、
前記撮像手段に入力される第１の像の全部および一部のいずれかを第２の像に変更するための変更手段と、
前記第２の像に変更されたことを検知するための検知手段と、
前記第２の像に変更された映像を前記受信端末で出力するための映像情報を前記受信端末に送信するように前記通信手段を制御するための制御手段とを含み、
前記制御手段は、前記第２の像に変更されたことが検知された場合に、前記映像情報を送信することを遮断するように前記通信手段を制御するための手段を含む、送信端末。
【請求項２】
前記送信端末は、
前記撮像手段に入力される映像に依存する映像付加情報を生成するための手段と、
前記映像付加情報を前記受信端末に送信するように前記通信手段を制御するための手段とをさらに含む、請求項１に記載の送信端末。
【請求項３】
前記映像付加情報は、前記撮像手段に入力される映像の照度を表わす、請求項２に記載の送信端末。
【請求項４】
前記送信端末は、前記第２の像に変更されたことが検知された場合に、前記映像付加情報を前記受信端末に送信するように前記通信手段を制御するための手段をさらに含む、請求項２または３に記載の送信端末。
【請求項５】
映像を撮像するための撮像手段と、
音声を集音するための集音手段と、
受信端末と通信するための通信手段と、
前記撮像手段に入力される第１の像の全部および一部のいずれかを第２の像に変更するための変更手段と、
前記第２の像に変更されたことを検知するための検知手段と、
前記集音された音声を前記受信端末で出力するための音声情報を前記受信端末に送信するように前記通信手段を制御するための手段と、
前記第２の像に変更されたことが検知された場合に、前記音声情報を送信することを遮断するように前記通信手段を制御するための手段を含む、送信端末。
【請求項６】
前記送信端末は、
前記集音手段に入力される音声に依存する音声付加情報を生成するための手段と、
前記音声付加情報を前記受信端末に送信するように前記通信手段を制御するための手段とをさらに含む、請求項５に記載の送信端末。
【請求項７】
前記音声付加情報は、前記音声の音量を表わす、請求項６に記載の送信端末。
【請求項８】
前記送信端末は、前記第２の像に変更されたことが検知された場合に、前記音声付加情報を前記受信端末に送信するように前記通信手段を制御するための手段をさらに含む、請求項６または請求項７に記載の送信端末。
【請求項９】
前記変更手段は、前記撮像手段により撮像される方向を変更するための方向変更手段を含む、請求項１〜８のいずれかに記載の送信端末。
【請求項１０】
前記方向変更手段は、前記撮像手段を回転させるための手段を含み、
前記第２の像は、前記撮像手段を回転させて前記撮像される方向が変更されたことにより前記第１の像を含まない像である、請求項９に記載の送信端末。
【請求項１１】
前記方向変更手段は、前記第１の像と前記撮像手段との間に設けられた鏡面体であり、
前記第２の像は、前記鏡面体により前記撮像される方向が変更されたことにより前記第１の像を含まない像である、請求項９に記載の送信端末。
【請求項１２】
前記送信端末は、前記撮像される方向が変更された場合に、撮像する対象物に焦点を合致させるように前記撮像手段を制御するための手段をさらに含む、請求項９〜１１のいずれかに記載の送信端末。
【請求項１３】
前記変更手段は、前記第１の像と前記撮像手段との間に設けられた、前記第１の像を表わす光を散乱させる手段を含み、
前記第２の像は、前記第１の像を表わす光であって散乱した光のうちの前記変更手段を透過した光により形成される像である、請求項１〜８のいずれかに記載の送信端末。
【請求項１４】
前記変更手段は、前記第１の像と前記撮像手段との間に設けられた、前記撮像手段による撮像される範囲よりも小さい穴が開いた遮光体を含み、
前記第２の像は、前記第１の像を表わす光のうちの前記穴を透過した光により形成される像である、請求項１〜８のいずれかに記載の送信端末。
【請求項１５】
映像を撮像するための撮像手段と、
受信端末と通信するための通信手段と、
前記撮像手段により撮像された映像を前記受信端末で出力するための映像情報を、前記受信端末で復号化して出力する場合に前記撮像された映像と同一の映像として出力できない情報に符号化する映像情報符号化手段と、
前記符号化された映像情報を、前記受信端末に送信するように前記通信手段を制御するための手段とを含む、送信端末。
【請求項１６】
音声を集音するための集音手段と、
受信端末と通信するための通信手段と、
前記集音された音声を前記受信端末で出力するための音声情報を前記受信端末に送信するように前記通信端末を制御するための手段と、
前記音声に依存する音声付加情報を生成するための手段と、
前記音声付加情報を前記受信端末に送信するように前記通信手段を制御するための手段と、
前記音声情報を送信することを遮断するように前記通信手段を制御するための手段と、
前記音声情報を受信端末に送信することを遮断した場合に、前記音声付加情報を前記受信端末に送信するように前記通信手段を制御するための手段とを含む、送信端末。
【請求項１７】
前記音声付加情報は、前記音声の音量を表わす、請求項１６に記載の送信端末。
【請求項１８】
音声を集音するための集音手段と、
受信端末と通信するための通信手段と、
前記集音手段により集音された音声を前記受信端末で出力するための音声情報を、前記受信端末で復号化して出力する場合に前記集音された音声と同一の音声として出力できない情報に符号化する音声情報符号化手段と、
前記符号化された音声情報を、前記受信端末に送信するように前記通信手段を制御するための手段とを含む、送信端末。
【請求項１９】
送信端末と通信するための通信手段と、
前記送信端末から送信される情報を出力するための出力手段と、
前記送信端末で撮像された映像情報を受信しない場合に、前記送信端末から送信される前記撮像される映像に依存する映像付加情報を前記出力手段に出力するための手段とを含む、受信端末。
【請求項２０】
前記映像付加情報は、前記映像の照度を表わす、請求項１９に記載の受信端末。
【請求項２１】
送信端末と通信するための通信手段と、
前記送信端末から送信される情報を出力するための出力手段と、
前記送信端末で集音された音声情報を受信しない場合に、前記送信端末から送信される前記集音される音声に依存する音声付加情報を前記出力手段に出力するための手段とを含む、受信端末。
【請求項２２】
前記音声付加情報は、前記音声の音量を表わす、請求項２１に記載の受信端末。
【発明の詳細な説明】
【技術分野】
【０００１】
本発明は、パソコン、ワークステーションなどのコンピュータシステムまたは家庭用情報端末で利用されるテレビ電話やテレビ会議などの、映像と音声とを用いて通信することができる送信端末および受信端末に関し、特に、プライバシを保護する機能を有する送信端末および受信端末に関する。
【背景技術】
【０００２】
最近のテレビ電話やテレビ会議などで使用される送信端末および受信端末が有する機能として、通信中であっても送信端末側のプライバシを保護する機能がある。この機能は、一時的に送信側のみで打合せをしたい場合や、会議の進行状況を把握しつつ、送信側の映像や音声を受信側に出力させたくない場合に必要となる。
【０００３】
このような、通信中であっても送信端末側のプライバシを保護する技術が、たとえば特開平８−１８１８９９号公報（特許文献１）に開示されている。
【０００４】
特許文献１に開示された画像入力装置は、被写体を撮像するための撮像装置と、撮像装置と被写体との間でかつ、外観から識別できる位置に設けられていて撮像装置に入射する光量を遮断するための光量遮断装置と、光量遮断装置の開閉状態を検出するための検出装置と、撮像装置の周囲音や音声を集音するための集音装置と、検出装置で検出された光量遮断装置の開閉状態に連動して、集音装置で集音された周囲音や音声の出力と遮断をするための音声遮断装置と、撮像装置で撮像された映像とは異なる保留画面を発生するための保留画面発生装置と、集音装置で集音された音とは異なる保留音を発生するための保留音発生装置と、検知装置で検知された光量遮断装置の開閉状態に応じて、撮像装置で撮像された映像と保留画面発生装置で発生された保留画面を映像出力として、および集音装置で集音された周囲音や音声と保留音発生装置で発生された保留音を音声出力として切り替えるための切替装置とを含む。
【０００５】
この公報により開示された画像入力装置によると、テレビ電話やテレビ会議などの通信中にユーザがプライバシを保護したい場合、撮像装置と被写体との間に、光量遮断装置を設置するという操作により、撮像装置により撮像される映像を遮断することができる。また、光量遮断装置を設置する操作に連動して、集音装置で集音された音声の出力を遮断することができる。さらに、映像や音声を遮断する場合に、保留画像、保留音を通信相手である受信端末側に送信することができる。
【０００６】
これにより、ユーザの映像と音声とのプライバシを保護することができる。さらに、保留画像、保留音が受信端末に出力されることで、受信端末側では、送信端末との通信が正常に行なわれていることを把握することができる。
【特許文献１】特開平８−１８１８９９号公報（特許第３３１０４８５号公報）
【発明の開示】
【発明が解決しようとする課題】
【０００７】
しかしながら、特許文献１に開示された画像入力装置は、保留画像、保留音を通信相手である受信端末側に送信するが、実際に撮像装置に入射した映像と集音装置により集音された音声とをすべて遮断してしまう。このため、通信相手である受信端末においては、送信端末側がどのような状況であるのかを把握できないという問題がある。また、通信相手である受信端末側には実際に撮像された映像や集音された音声とは関係のない保留画像や保留音が出力されるため、撮像装置や集音装置が故障しているとしても、通信相手である受信端末側は、故障していることを判断することができないという問題もある。
【０００８】
本発明は、上述の問題点を解決するためになされたものであって、その目的は、送信端末のユーザがプライバシの保護を行なうことができ、かつ、送信端末側の状況と撮像装置や集音装置が正常に稼動していることとを受信端末のユーザに把握させることができる送信端末および受信端末を提供することである。
【課題を解決するための手段】
【０００９】
第１の発明に係る送信端末は、映像を撮像するための撮像手段と、受信端末と通信するための通信手段と、撮像手段に入力される第１の像の全部および一部のいずれかを第２の像に変更するための変更手段と、第２の像に変更されたことを検知するための検知手段と、第２の像に変更された映像を受信端末で出力するための映像情報を受信端末に送信するように通信手段を制御するための制御手段とを含み、制御手段は、第２の像に変更されたことが検知された場合に、映像情報を送信することを遮断するように通信手段を制御するための手段を含む。
【００１０】
第１の発明によると、撮像手段により第１の像が撮像され、変更手段により、第１の像の全部および一部のいずれかが第２の像に変更されされたことが検知手段により検知されると、通信手段により映像情報の送信が遮断される。これにより、送信端末のユーザは、第２の像に変更することで、受信端末における映像の出力を完全に停止させることができる。その結果、プライバシの保護を行なうことができる。
【００１１】
第２の発明に係る送信端末は、第１の発明の構成に加えて、撮像手段に入力される映像に依存する映像付加情報を生成するための手段と、映像付加情報を受信端末に送信するように通信手段を制御するための手段とをさらに含む。
【００１２】
第２の発明によると、撮像手段に入力される映像に依存する映像付加情報（たとえば照度、周波数の情報）が生成され、映像付加情報が受信端末に送信される。これにより、送信端末の撮像手段に入力される映像に依存する映像付加情報を受信端末に出力することができる。そのため、受信端末のユーザは、送信端末側の映像の状況を把握することができる。また、受信端末のユーザは、映像付加情報が撮像手段により取得された情報であるため、撮像手段が正常に稼動していることを把握することができる。その結果、プライバシの保護を行なうことができ、かつ、送信端末側の状況と撮像手段が正常に稼動していることとを受信端末のユーザに把握させることができる送信端末を提供することができる。
【００１３】
第３の発明に係る送信端末においては、第２発明の構成に加えて、映像付加情報は、撮像手段に入力される映像の照度を表わす。
【００１４】
第３の発明によると、映像付加情報として、映像の照度を表わす情報が受信端末に出力される。これにより、受信端末のユーザは、送信端末側の明るさの状況を把握することができる。また、照度を表わす情報は、撮像手段より取得された情報であるため、撮像手段が正常に稼動していることを把握することができる。
【００１５】
第４の発明に係る送信端末は、第２または第３の発明の構成に加えて、第２の像に変更されたことが検知された場合に、映像付加情報を受信端末に送信するように通信手段を制御するための手段をさらに含む。
【００１６】
第４の発明によると、第２の像に変更されたことが検知された場合に、通信手段は、第２の像の映像付加情報を受信端末に送信する。これにより、受信端末のユーザは、送信端末のユーザが映像のプライバシの保護を行なっているときに、送信端末側の映像の状況を把握することができる。また、映像付加情報は、撮像手段より取得された情報であるため、撮像手段が正常に稼動していることを把握することができる。
【００１７】
第５の発明に係る送信端末は、映像を撮像するための撮像手段と、音声を集音するための集音手段と、受信端末と通信するための通信手段と、撮像手段に入力される第１の像の全部および一部のいずれかを第２の像に変更するための変更手段と、第２の像に変更されたことを検知するための検知手段と、集音された音声を受信端末で出力するための音声情報を受信端末に送信するように通信手段を制御するための手段と、第２の像に変更されたことが検知された場合に、音声情報を送信することを遮断するように通信手段を制御するための手段を含む。
【００１８】
第５の発明によると、撮像手段により第１の像が撮像され、変更手段により、第１の像の全部および一部のいずれかが第２の像に変更され、第２の像の映像情報が通信手段により受信端末に送信される。また、第２の像に変更されたことが検知された場合に、通信手段は、集音手段により週音された音声情報の送信を遮断する。これにより、受信端末には、第１の像の全部および一部のいずれかが変更された（たとえば第１の像を含まない）第２の像が出力され、音声が出力されなくなる。これにより、送信端末のユーザは、変更手段を用いて送信端末のユーザを含む第１の像を、送信端末のユーザを含まない第２の像に変更するという１つの操作を行なうことで、自らの映像のプライバシを保護すると同時に、自らの音声のプライバシを完全に保護することができる。さらに、第２の像は、送信端末の撮像手段により撮像された映像の少なくとも一部である。そのため、受信端末のユーザは、送信端末側の状況と、撮像手段が正常に稼動していることとを同時に把握することができる。その結果、映像と音声のプライバシの保護を行なうことができ、かつ、送信端末側の状況と撮像手段が正常に稼動していることとを受信端末のユーザに把握させることができる送信端末を提供することができる。
【００１９】
第６の発明に係る送信端末は、第５の発明の構成に加えて、音声に依存する音声付加情報を生成するための手段と、音声付加情報を受信端末に送信するように通信手段を制御するための手段とをさらに含む。
【００２０】
第６の発明によると、音声に依存する音声付加情報（たとえば、音量、音域の情報）が生成され、音声付加情報が受信端末に送信される。これにより、送信端末の集音手段に入力される音声に依存する音声付加情報を受信端末に出力することができる。そのため、受信端末のユーザは、送信端末側の音声の状況を把握することができる。また、受信端末のユーザは、音声付加情報が集音手段により取得された情報であるため、音声が出力されていなくても、集音手段が正常に稼動していることを把握することができる。
【００２１】
第７の発明に係る送信端末においては、第６の発明の構成に加え、音声付加情報は、音声の音量を表わす。
【００２２】
第７の発明によると、音声付加情報として、受信端末に音量を表わす情報が出力される。これにより、受信端末のユーザは、送信端末側の音量の状況を把握することができる。また、音量を表わす情報は、集音手段より取得された情報であるため、集音手段が正常に稼動していることを把握することができる。
【００２３】
第８の発明に係る送信端末は、第６または第７の発明の構成に加えて、第２の像に変更されたことが検知された場合に、音声付加情報を受信端末に送信するように通信手段を制御するための手段をさらに含む。
【００２４】
第８の発明によると、第２の像に変更されたことが検知された場合に、音声付加情報が受信端末に送信される。これにより、送信端末のユーザは、第２の像に変更するという１つの操作を行なうことで、送信端末のユーザを含まない第２の映像と、音声付加情報とを受信端末に出力させることができる。そのため、受信端末のユーザは、第２の映像と音声付加情報とから、送信端末側の映像および音声の状況と、撮像手段および集音手段が正常に稼動していることとを同時に把握することができる。さらに、受信端末のユーザは、第２の映像だけでなく音声付加情報とが出力されていることで、送信端末のユーザが、プライバシの保護を行なっていることを確実に認識できる。
【００２５】
第９の発明に係る送信端末においては、第１〜第８の発明の構成に加えて、変更手段は、撮像手段により撮像される方向を変更するための方向変更手段を含む。
【００２６】
第９の発明によると、方向変更手段は、撮像手段により撮像される方向を変更する。これにより、送信端末のユーザは、方向変更手段を用いて撮像手段に撮像される方向を変更することで、第１の像を、送信端末のユーザを含まない第２の像に変更することができる。
【００２７】
第１０の発明に係る送信端末においては、第９の発明の構成に加えて、方向変更手段は、撮像手段を回転させるための手段を含み、第２の像は、撮像手段を回転させて撮像される方向が変更されたことにより第１の像を含まない像である。
【００２８】
第１０の発明によると、第２の像は、撮像手段を回転させて撮像される方向が変更されたことにより第１の像を含まない。これにより、送信端末のユーザは、方向変更手段を用いて撮像手段を回転して撮像方向を変更することにより、第１の像を、送信端末のユーザを含まない第２の像に変更することができる。さらに、送信端末のユーザは、撮像手段を回転させるという操作を自ら行なう。そのため、送信端末のユーザは、プライバシの保護が行なわれていることを視覚的かつ直感的に把握することができる。
【００２９】
第１１の発明に係る送信端末においては、第９の発明の構成に加えて、方向変更手段は、第１の像と撮像手段との間に設けられた鏡面体であり、第２の像は、鏡面体により撮像される方向が変更されたことにより第１の像を含まない像である。
【００３０】
第１１の発明によると、第２の像は、鏡面体で反射する光により形成されるため、第１の像を含まない。これにより、送信端末のユーザは、鏡面体を用いて鏡面体で反射する方向に撮像方向を変更することで、第１の像を、送信端末のユーザを含まない第２の像に変更することができる。また、送信端末のユーザは、鏡面体を設置するという操作を自ら行なう。そのため、送信端末のユーザは、プライバシの保護が行なわれていることを視覚的かつ直感的に把握することができる。
【００３１】
第１２の発明に係る送信端末は、第９〜第１１の発明のいずれかの発明の構成に加えて、撮像される方向が変更された場合に、撮像する対象物に焦点を合致させるように撮像手段を制御するための手段をさらに含む。
【００３２】
第１２の発明によると、撮像される方向が変更された場合に、撮像する対象物に焦点が合致される。これにより、第２の像は、撮像する対象物に焦点が合致した像である。そのため、受信端末のユーザは、焦点制御手段が正常に稼動していることを把握することができる。
【００３３】
第１３の発明に係る送信端末においては、第１〜第８の発明の構成に加えて、変更手段は、第１の像と撮像手段との間に設けられた、第１の像を表わす光を散乱させる手段を含み、第２の像は、第１の像を表わす光であって散乱した光のうちの変更手段を透過した光により形成される像である。
【００３４】
第１３の発明によると、第２の像は、変更手段により散乱された第１の像を表わす光のうちの変更手段を透過した光により形成される。これにより、送信端末のユーザは、第１の像を、何の映像なのか、誰の映像なのかを認識することができない程度にぼんやりとした第２の像に変更することができる。また、送信端末のユーザは光を散乱させる手段を設置するという操作を自ら行なう。そのため、送信端末のユーザはプライバシの保護が行なわれていることを視覚的かつ直感的に把握することができる。
【００３５】
第１４の発明に係る送信端末においては、第１〜第８の発明の構成に加えて、変更手段は、第１の像と撮像手段との間に設けられた、撮像手段により撮像される範囲よりも小さい穴が開いた遮光体を含み、第２の像は、第１の像を表わす光のうちの穴を透過した光により形成される像である。
【００３６】
第１４の発明によると、変更手段である遮光体は、第１の像を表わす光を、遮光体の穴を透過した光により形成される第２の像に変更する。遮光体の穴は、撮像手段により撮像される範囲よりも小さいため、第２の像は、何の映像なのか、誰の映像なのかを認識することができない程度に小さな範囲を撮像した像である。これにより、送信端末のユーザは、第１の像を、何の映像なのか、誰の映像なのかを認識することができない程度に小さな範囲を撮像した第２の像に変更することができる。また、送信端末のユーザは、遮光体を設置するという操作を自ら行なう。そのため、送信端末のユーザは、プライバシの保護が行なわれていることを視覚的かつ直感的に把握することができる。
【００３７】
第１５の発明に係る送信端末は、映像を撮像するための撮像手段と、受信端末と通信するための通信手段と、撮像手段により撮像された映像を受信端末で出力するための映像情報を、受信端末で復号化して出力する場合に撮像された映像と同一の映像として出力できない情報に符号化する映像情報符号化手段と、符号化された映像情報を、受信端末に送信するように通信手段を制御するための手段とを含む。
【００３８】
第１５の発明によると、撮像手段により撮像された映像が、同一の映像として出力できないように符号化され、受信端末に送信される。受信端末では、符号化された映像を復号化した映像が出力される。これにより、たとえば何の映像なのか、誰の映像なのかを認識することができない程度の映像にしか復号できないように符号化されれば、送信端末のユーザは、自らの映像のプライバシを保護することができる。また、受信端末のユーザは、送信端末の撮像手段により撮像された映像に依存する映像が受信端末に出力されるため、送信端末側の状況と、撮像手段と映像符号化手段と映像情報を復号化する手段とが正常に稼動していることとを把握することができる。その結果、プライバシの保護を行なうことができ、かつ、送信端末側の状況と、撮像手段と映像符号化手段と映像情報を復号化する手段とが正常に稼動していることとを受信端末のユーザに把握させることができる送信端末を提供することができる。
【００３９】
第１６の発明に係る送信端末は、音声を集音するための集音手段と、受信端末と通信するための通信手段と、集音された音声を受信端末で出力するための音声情報を受信端末に送信するように通信端末を制御するための手段と、音声に依存する音声付加情報を生成するための手段と、音声付加情報を受信端末に送信するように通信手段を制御するための手段と、音声情報を送信することを遮断するように通信手段を制御するための手段と、音声情報を受信端末に送信することを遮断した場合に、音声付加情報を受信端末に送信するように通信手段を制御するための手段とを含む。
【００４０】
第１６の発明によると、音声の情報の送信が遮断された場合に、音声付加情報が受信端末に送信される。これにより、送信端末のユーザは、音声のプライバシのみを保護したい場合、受信端末における音声の出力を停止させ、音声付加情報を出力させることができる。そのため、自らの音声のプライバシを保護することができる。また、受信端末のユーザは、音声付加情報が、集音手段より取得された情報であるため、送信端末側の状況と、集音手段が正常に稼動していることとを同時に把握することができる。さらに、受信端末のユーザは、音声が出力されず、音声付加情報が出力されていることで、送信端末のユーザが、プライバシの保護を行なっていることを確実に認識できる。その結果、プライバシの保護を行なうことができ、かつ、送信端末側の状況と集音手段が正常に稼動していることとを受信端末のユーザに把握させることができる送信端末を提供することができる。
【００４１】
第１７の発明に係る送信端末においては、第１６の発明の構成に加えて、音声付加情報は、音声の音量を表わす。
【００４２】
第１７の発明によると、音声付加情報として、受信端末に音量を表わす情報が出力される。これにより、受信端末のユーザは、送信端末側の音量の状況を把握することができる。また、音量を表わす情報は、集音手段より取得された情報であるため、集音手段が正常に稼動していることを把握することができる。さらに、受信端末のユーザは、音声が出力されず、音量を表わす情報が出力されていることで、送信端末のユーザが、プライバシの保護を行なっていることを確実に認識できる。
【００４３】
第１８の発明に係る送信端末は、音声を集音するための集音手段と、受信端末と通信するための通信手段と、集音手段により集音された音声を受信端末で出力するための音声情報を、受信端末で復号化して出力する場合に集音された音声と同一の音声として出力できない情報に符号化する音声情報符号化手段と、符号化された音声情報を、受信端末に送信するように通信手段を制御するための手段とを含む。
【００４４】
第１８の発明によると、集音手段により集音された音声が、同一の音声として出力できないように符号化され、受信端末に送信される。受信端末では、符号化された音声を復号化した音声が出力される。これにより、たとえば何の音声なのか、誰の音声なのかを認識することができない程度の音声にしか復号できないように符号化されれば、送信端末のユーザは、自らの音声のプライバシを保護することができる。また、受信端末のユーザは、送信端末の集音手段により集音された音声に依存する音声が受信端末に出力されるため、送信端末側の状況と、集音手段と音声符号化手段と音声情報を復号化する手段とが正常に稼動していることとを把握することができる。その結果、プライバシの保護を行なうことができ、かつ、送信端末側の状況と、集音手段と音声符号化手段と音声情報を復号化する手段とが正常に稼動していることとを受信端末のユーザに把握させることができる送信端末を提供することができる。
【００４５】
第１９の発明に係る受信端末は、送信端末と通信するための通信手段と、送信端末から送信される情報を出力するための出力手段と、送信端末で撮像された映像情報を受信しない場合に、送信端末から送信される撮像される映像に依存する映像付加情報を出力手段に出力するための手段とを含む。
【００４６】
第１９の発明によると、送信端末から映像情報を受信しない場合に、送信端末で撮像される映像に依存する映像付加情報が出力される。これにより、送信端末のユーザは、自らの映像のプライバシを保護することができる。また、受信端末のユーザは、映像付加情報が、撮像手段より取得された情報であるため、送信端末側の映像の状況と、撮像手段が正常に稼動していることとを同時に把握することができる。さらに、受信端末のユーザは、映像が出力されない場合でも、映像付加情報が出力されていることで、送信端末のユーザが、プライバシの保護を行なっていることを確実に認識できる。その結果、プライバシの保護を行なうことができ、かつ、送信端末側の状況と撮像装置が正常に稼動していることとを受信端末のユーザが把握することができる受信端末を提供することができる。
【００４７】
第２０の発明に係る受信端末においては、第１９の発明の構成に加えて、映像付加情報は、映像の照度を表わす。
【００４８】
第２０の発明によると、映像付加情報として、受信端末に映像の照度を表わす情報が出力される。これにより、受信端末のユーザは、送信端末側の明るさの状況を把握することができる。また、照度を表わす情報は、撮像手段より取得された情報であるため、撮像手段が正常に稼動していることを把握することができる。さらに、受信端末のユーザは、映像が出力されない場合でも、照度を表わす情報が出力されていることで、送信端末のユーザが、プライバシの保護を行なっていることを確実に認識できる。
【００４９】
第２１の発明に係る受信端末は、送信端末と通信するための通信手段と、送信端末から送信される情報を出力するための出力手段と、送信端末で集音された音声情報を受信しない場合に、送信端末から送信される集音される音声に依存する音声付加情報を出力手段に出力するための手段とを含む。
【００５０】
第２１の発明によると、送信端末から音声情報を受信しない場合に、送信端末で集音される音声に依存する音声付加情報が出力される。これにより、送信端末のユーザは、自らの音声のプライバシを保護することができる。また、受信端末のユーザは、音声付加情報が、集音手段より取得された情報であるため、送信端末側の音声の状況と、集音手段が正常に稼動していることとを同時に把握することができる。さらに、受信端末のユーザは、音声が出力されない場合でも、音声付加情報が出力されていることで、送信端末のユーザが、プライバシの保護を行なっていることを確実に認識できる。その結果、プライバシの保護を行なうことができ、かつ、送信端末側の状況と集音手段が正常に稼動していることとを受信端末のユーザが把握することができる受信端末を提供することができる。
【００５１】
第２２の発明に係る受信端末においては、第２１の発明の構成に加えて、音声付加情報は、音声の音量を表わす。
【００５２】
第２２の発明によると、音声付加情報として、受信端末に音量を表わす情報が出力される。これにより、受信端末のユーザは、送信端末側の音量の状況を把握することができる。また、音量を表わす情報は、集音手段より取得された情報であるため、集音手段が正常に稼動していることを把握することができる。さらに、受信端末のユーザは、映像が出力されない場合でも、音量を表わす情報が出力されていることで、送信端末のユーザが、プライバシの保護を行なっていることを確実に認識できる。
【発明を実施するための最良の形態】
【００５３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００５４】
＜第１の実施の形態＞
図１を参照して、本実施の形態に係る送信端末１０００、受信端末１１００およびこれらを用いたシステムのハードウェア構成について説明する。
【００５５】
送信端末１０００と受信端末１１００とは、有線または無線を用いたネットワーク１１１０を介して接続されている。
【００５６】
送信端末１０００は、映像を撮像する映像撮像装置１１０４と、周辺の音声を集音する音声集音部１１０６と、映像などの情報を受信端末に送信する情報送信装置１１０８と、制御部１１２０とから構成される。
【００５７】
受信端末１１００は、送信端末１０００から送信される情報を受信する情報受信装置１１１２と、映像を出力する映像出力部１１１４と、音声を出力する音声出力部１１１６と、制御部１１２０とから構成される。
【００５８】
制御部１１２０は、送信端末１０００および受信端末１１００の各部を制御するＣＰＵ（Central Processing Unit）１１２２と、ＣＰＵ１１２２に接続され、ＣＰＵ１１２２で実行される処理の中間データを記憶するためのメモリ１１２４と、ＣＰＵ１１２２に接続され、通信相手のアドレスなどの情報を記憶する記憶部１１２６とを含む。
【００５９】
なお、図１では説明のために、送信端末と受信端末とに分けて図示しているが、双方向で通信が行なわれる場合には、情報送信装置１１０８、情報受信装置１１１２、映像撮像装置１１０４、音声集音部１１０６、映像出力部１１１４、音声出力部１１１６、および制御部１１２０を備えた送受信端末として実現されるようにしてもよい。
【００６０】
図２を参照して、図１に示す送信端末１０００の制御ブロックについて説明する。被写体からの光は映像入力部１２０２に入力され電気信号に変換される。電気信号に変換された映像情報は、映像符号化処理部１２０８で符号化される。符号化された映像情報は、符号化映像送信部１２１０から通信部１２２２を介して、受信端末１１００に送信される。
【００６１】
同様に、送信端末１０００付近の人の声や音は、音声集音部１１０６に入力されて電気信号に変換される。電気信号に変換された音声情報は、音声符号化処理部１２１６で符号化される。符号化された音声情報は、符号化音声送信部１２１８から音声送信遮断部１２２０を通過し、通信部１２２２を介して受信端末１１００に送信される。
【００６２】
音声送信遮断部１２２０は、符号化された音声情報を受信端末１１００に送信することを遮断することができる。通信部１２２２は、情報受信装置１１１２と通信を行なう機能を有し、ネットワークカードなどにより実現される。回転部１２０４は、映像撮像装置１１０４を回転させるための可動部である。回転検出部１２０６は、回転部１２０４が回転したことを検出する。焦点制御部１２１２は、映像入力部１２０２内にあるレンズ、絞りを制御し、焦点を調整する働きをする。
【００６３】
図３を参照して、図１に示す受信端末１１００の制御ブロックについて説明する。符号化映像受信部１３０４は、送信端末１０００から送信される符号化された映像情報を、通信部１３０２を介して受信する。映像復号化処理部１３０６は、受信した映像情報を復号化し、電気信号に変換する。映像出力部１１１４は、電気信号に変換された映像情報を映像として出力する。
【００６４】
同様に、符号化音声受信部１３０８は、送信端末１０００から送信される符号化された音声情報を、通信部１３０２を介して受信する。音声復号化処理部１３１０は、受信した音声情報を復号化し、電気信号に変換する。音声出力部１１１６は、電気信号に変換された音声情報を音声として出力する。通信部１３０２は、送信端末１０００と通信を行なう機能を有するネットワークカードなどである。
【００６５】
図４を参照して、図１に示す映像撮像装置１１０４について説明する。映像撮像装置１１０４は、映像入力部１２０２と、回転部１２０４と、回転検出部１２０６とから構成される。映像入力部１２０２は、被写体からの光を取り込むカメラである。回転部１２０４は、映像撮像装置１１０４の方向を変える。送信端末１０００のユーザが映像撮像装置１１０４の方向を変えることにより、撮像される方向が変更される。
【００６６】
図４（ａ）に通常の通話状態を示す。通常の通話状態では、映像入力部１２０２は、被写体の方向を向いており、映像撮像装置１１０４は、被写体の像を映像入力部１２０２内にあるレンズで取り込んで撮像している。
【００６７】
図４（ｂ）に、図４（ａ）の状態から９０度左に映像撮像装置１１０４を回転させた状態を示す。送信端末１０００のユーザがその場の映像を相手に見せたくないような状況では、図４（ｂ）のように映像撮像装置１１０４を回転させる。これにより、映像入力部１２０２により撮像される方向が９０度左に回転し、ユーザを被写体に含まない映像が撮像されることになる。なお、回転方法については、送信端末１０００のユーザ自身が映像撮像装置１１０４を手動で回転させてもよいし、ユーザによる操作スイッチからの入力を検知して、ＣＰＵ１１２２が映像撮像装置１１０４を回転させる指示をモータへ入力してもよい。
【００６８】
回転検出部１２０６は、回転部１２０４に内蔵されており、回転部１２０４が、図４（ａ）に示す通常の通話状態の位置から、ユーザが予め設定した角度まで回転したことを検出する。なお、ユーザが予め設定した角度、つまり検出角度は、送信端末１０００のユーザが撮像されないようになる角度、たとえば図４（ｂ）に示すように通常の通話状態で使う範囲から９０度回転した角度、もしくは後ろ向き（１８０度回転）にした角度とすればよい。また、本実施の形態では、水平方向のみの回転を示したが、回転方向は、ユーザが撮像されない方向であれば、その他の方向であってもよい。
【００６９】
図５を参照して、送信端末１０００のＣＰＵ１１２２で実行されるプログラムの制御構造について説明する。このプログラムは、映像撮像装置１１０４が回転した場合に実行される。
【００７０】
ステップ（以下、ステップをＳと略す）１００にて、ＣＰＵ１１２２は、映像撮像装置１１０４が図４（ａ）に示す通常の通話状態から、ユーザが予め設定した角度まで回転したことを、回転検出部１２０６が検出したか否かを判断する。回転を検出したと判断されると（Ｓ１００にてＹＥＳ）、処理はＳ１０２に移される。もしそうでないと（Ｓ１００にてＮＯ）、処理はＳ１００に戻される。
【００７１】
Ｓ１０２にて、ＣＰＵ１１２２は、映像撮像装置１１０４が回転後の撮像方向にある対象物に焦点を合致させるように焦点制御部１２１２に指示する。
【００７２】
Ｓ１０４にて、ＣＰＵ１１２２は、音声送信遮断部１２２０に音声情報の送信を遮断するよう指示する。
【００７３】
なお、Ｓ１０２およびＳ１０４の処理順序は、逆であってもよい。
以上のような構造およびフローチャートに基づく、送信端末１０００の動作について説明する。
【００７４】
送信端末１０００と受信端末１１００との間で、映像と音声とを用いて通信されている場合において、映像撮像装置１１０４が、ユーザにより予め設定された角度まで回転されると、回転検出部１２０６により回転が検出され（Ｓ１００にてＹＥＳ）、焦点制御部１２１２により回転後の撮像方向にある対象物に焦点が合致され（Ｓ１０２）、音声送信遮断部１２２０により音声情報の送信が遮断される（Ｓ１０４）。
【００７５】
その結果、受信端末１１００の映像出力部１１１４には、送信端末１０００のユーザの映像を含まない映像が出力され、音声出力部１１１６から音声が出力されない状態となる。
【００７６】
なお、送信端末１０００のユーザにより図４（ａ）に示す状態に戻されると、映像撮像装置１１０４により再び送信側のユーザの映像が撮像され、音声送信遮断部１２２０による音声情報の送信の遮断も解除される。
【００７７】
その結果、受信端末１１００の映像出力部１１１４には、送信端末１０００のユーザの映像が出力され、音声出力部１１１６には、送信側のユーザの音声が出力される。
【００７８】
以上のようにして、本実施の形態に係る送信端末は、映像撮像装置を回転させることにより、送信側のユーザの映像を撮像せずに、回転した先の対象物を撮像するとともに、その対象物に自動的に焦点を合致させる。たとえば、回転した先に、人形、もしくはユーザの写真やキャラクタの絵などを設置しておくと、ユーザの映像の代わりに回転した先の人形などの映像が受信端末の映像出力部に出力される。また映像撮像装置の回転に連動して音声送信遮断部により音声情報の送信も遮断される。
【００７９】
これにより、送信端末のユーザは、映像撮像装置を回転させるという操作で、映像と音声とのプライバシの保護を同時に行なうことができる。また、受信端末に出力される映像は、送信端末の映像撮像装置により撮像された映像である。そのため、受信端末のユーザは、送信端末側の明るさの状況と、映像撮像装置が正常に稼動していることとを同時に把握することができる。さらに、受信端末に出力される映像は、映像撮像装置が回転した先の対象物に自動的に焦点を合致させた映像であるため、受信端末のユーザは、焦点制御が正常に稼動していることを把握することができる。また、映像撮像装置を回転させるという操作を自ら行なうため、送信端末のユーザはプライバシの保護が行なわれていることを視覚的かつ直感的に把握することができる。
【００８０】
＜第２の実施の形態＞
以下、本発明の第２の実施の形態について説明する。本実施の形態に係る送信端末２０００、受信端末２１００およびこれらを用いたシステムのハードウェア構造は、第１の実施の形態と同じである。よって、これらについての詳細な説明は繰り返さない。
【００８１】
図６を参照して、本実施の形態に係る送信端末２０００の制御ブロックについて説明する。本実施の形態に係る送信端末２０００の制御ブロックのうち、第１の実施の形態と同じである機能ブロックについては、同一の符号を付してある。それらの名称および機能も同じである。したがって、それらについての詳細な説明は繰り返さない。
【００８２】
映像送信遮断部２１０２は、映像情報の送信を遮断する。照度情報生成部２１０８は、映像入力部１２０２に入力される光の照度を検出し照度情報を生成する。照度情報送信部２１１０は、通信部１２２２を介して照度情報を受信端末２１００に送信する。
【００８３】
状態情報生成部２１０４は、映像撮像装置１１０４の回転が検出されたか否かを示す状態情報を生成する。状態情報送信部２１０６は、通信部１２２２を介して状態情報を受信端末２１００に送信する。
【００８４】
音量情報生成部２１１２は、音声集音部１１０６に集音された音声の音量を検出し音量情報を生成する。音量情報送信部２１１４は、通信部１２２２を介して音量情報を受信端末２１００に送信する。
【００８５】
図７を参照して、本実施の形態に係る受信端末２１００の制御ブロックについて説明する。本実施の形態に係る受信端末２１００の制御ブロックのうち、第１の実施の形態と同じものについては、同一の符号を付してある。それらの名称および機能も同じである。したがって、それらについての詳細な説明は繰り返さない。
【００８６】
照度情報受信部２２０８は、送信端末２０００から送信される照度情報を受信する。照度情報出力部２２１０は、照度を表わす情報を、映像出力部１１１４に出力する。音量情報受信部２２１２は、送信端末２０００から送信される音量情報を受信する。音量情報出力部２２１４は、音量を表わす情報を、映像出力部１１１４に出力する。
【００８７】
状態情報受信部２２０２は、送信端末２０００から送信される状態情報を受信する。状態情報解析部２２０４は、状態情報受信部２２０２で受信した状態情報が、映像撮像装置１１０４の回転が検出されことを示すのか否かを判断し、出力映像処理部２２０６に判断の内容を出力する。
【００８８】
出力映像処理部２２０６は、その判断の内容に応じて、照度を表わす情報と、音量を表わす情報とを、映像出力部１１１４に出力する。
【００８９】
図８を参照して、本実施の形態に係る送信端末２０００のＣＰＵ１１２２で実行されるプログラムの制御構造について説明する。このプログラムは、映像撮像装置１１０４が回転した場合に実行される。
【００９０】
Ｓ１００にて、ＣＰＵ１１２２は、映像撮像装置１１０４が図４（ａ）に示す通常の通話状態からユーザが予め設定した角度まで回転したことを、回転検出部１２０６が検出したか否かを判断する。回転が検出されると（Ｓ１００にてＹＥＳ）、処理はＳ２０２に移される。もしそうでないと（Ｓ１００にてＮＯ）、処理はＳ１００に戻される。
【００９１】
Ｓ２０２にて、ＣＰＵ１１２２は、映像送信遮断部２１０２に映像情報の送信を遮断するよう指示する。
【００９２】
Ｓ２０４にて、ＣＰＵ１１２２は、状態情報生成部２１０４に状態情報を生成するよう指示し、状態情報送信部２１０６に通信部１２２２を介して受信端末２１００に状態情報を送信するよう指示する。
【００９３】
Ｓ２０６にて、ＣＰＵ１１２２は、照度情報生成部２１０８に、映像入力部１２０２から入力される光の照度を検出して、照度情報を生成するよう指示し、照度情報送信部２１１０により通信部１２２２を介して受信端末２１００に照度情報を送信するよう指示する。
【００９４】
Ｓ２０８にて、ＣＰＵ１１２２は、音量情報生成部２１１２に、音声集音部１１０６に集音された音声の音量を検出し音量情報を生成するよう指示し、音量情報送信部２１１４に通信部１２２２を介して受信端末２１００に音量情報を送信するよう指示する。
【００９５】
Ｓ２１０にて、ＣＰＵ１１２２は、音声送信遮断部１２２０に音声情報の送信を遮断するよう指示する。
【００９６】
なお、Ｓ２０２からＳ２１０の処理順序は、変更されてもよい。また、Ｓ２０４、Ｓ２０６およびＳ２０８で生成された情報を受信端末２１００に送信する場合、１つの情報に合成して送信してもよい。
【００９７】
図９を参照して、本実施の形態に係る受信端末２１００のＣＰＵ１１２２で実行されるプログラムの制御構造について説明する。このプログラムは、状態情報受信部２２０２が状態情報を受信した場合に実行される。
【００９８】
Ｓ２２０にて、ＣＰＵ１１２２は、送信端末２０００の映像撮像装置１１０４が回転されたか否かを判断する。この判断は、状態情報受信部２２０２で受信した状態情報が、送信端末２０００の映像撮像装置１１０４の回転を検出したことを示す情報であるか否かで行なわれる。
【００９９】
映像撮像装置１１０４が回転されたと判断されると（Ｓ２２０にてＹＥＳ）、処理はＳ２２２に移される。もしそうでないと（Ｓ２２０にてＮＯ）、処理はＳ２２０に戻される。
【０１００】
Ｓ２２２にて、ＣＰＵ１１２２は、照度情報出力部２２１０に、照度情報を映像出力部１１１４に出力するための情報を出力するよう指示する。
【０１０１】
Ｓ２２４にて、ＣＰＵ１１２２は、音量情報出力部２２１４に、音量情報を映像出力部１１１４に出力するための情報を出力するよう指示する。
【０１０２】
Ｓ２２６にて、ＣＰＵ１１２２は、出力映像処理部２２０６に、照度情報出力部２２１０および音量情報出力部２２１４から出力される情報を、映像出力部１１１４に出力するよう指示する。
【０１０３】
なお、Ｓ２２２からＳ２２４の処理順序は、変更されてもよい。
以上のような構造およびフローチャートに基づく、送信端末２０００および受信端末２１００の動作について説明する。
【０１０４】
［送信端末動作］
送信端末２０００と受信端末２１００との間で、映像と音声とを用いて通信されている場合において、映像撮像装置１１０４がユーザにより予め設定された角度まで回転されると、回転検出部１２０６により回転が検出され（Ｓ１００にてＹＥＳ）、映像送信遮断部２１０２により映像情報の送信が遮断される（Ｓ２０２）。映像撮像装置１１０４の回転が検出されたか否かを示す状態情報が状態情報生成部２１０４にて生成され、受信端末２１００に送信される（Ｓ２０４）。照度情報生成部２１０８により、映像入力部１２０２に入力される光の照度を表わす情報が生成され、受信端末２１００に送信される（Ｓ２０６）。音量情報生成部２１１２により、音声集音部１１０６に集音される音声の音量を表わす情報が生成され、受信端末２１００に送信される（Ｓ２０８）。音声送信遮断部１２２０により音声情報の送信が遮断される（Ｓ２１０）。
【０１０５】
［受信端末動作］
送信端末２０００と受信端末２１００との間で、映像と音声とを用いて通信されている場合において、送信端末２０００の映像撮像装置１１０４が回転されたと判断されると（Ｓ２２０にてＹＥＳ）、照度情報出力部２２１０により、照度情報を映像出力部１１１４に出力するための情報が出力される（Ｓ２２２）。音量情報出力部２２１４により、音量情報を映像出力部１１１４に出力するための情報が出力される（Ｓ２２４）。映像出力部１１１４に照度情報と音量情報とが出力される（Ｓ２２６）。
【０１０６】
図１０を参照して、受信端末２１００の映像出力部１１１４で出力される状態を説明する。
【０１０７】
送信端末２０００の映像撮像装置１１０４が図４（ａ）に示す状態のときは、送信端末２０００のユーザの映像が、そのまま、受信端末２１００の映像出力部１１１４の画面に出力される。送信端末２０００の映像撮像装置１１０４が回転されて図４（ｂ）の状態になった場合、受信端末２１００の映像出力部１１１４には図１０に示すような画面表示領域２３０２が出力される。送信端末２０００のユーザ（この場合は花子さん）の名前表示部２３０６、静止画表示部２３０４に加え、送信端末２０００のユーザの部屋の状況を示す、照度情報表示部２３０８と音量情報表示部２３１０とを含む画像が、リアルタイムに表示される。
【０１０８】
以上のようにして、本実施の形態に係る送信端末は、映像撮像装置を回転させることで、送信端末側の映像情報と音声情報とを受信端末に送信することを遮断する。同時に、送信端末側の照度情報と音量情報とを送信する。受信端末側では、映像と音声とが出力されなくなるが、照度を表わす情報と音量を表わす情報とが出力される。
【０１０９】
これにより、送信端末のユーザは、映像撮像装置を回転させるという操作で、映像情報と音声情報との送信を完全に遮断することができ、プライバシの強い保護を行なうことができる。また、照度を表わす情報と音量を表わす情報とが受信端末に出力されるため、受信端末のユーザは、送信端末側の照度と音量との状況をリアルタイムで把握できる。また、映像と音声とが出力されない原因が、送信端末のユーザによるプライバシ保護であることを確実に認識できる。さらに、照度を表わす情報は、映像撮像装置より取得された情報である。音量を表わす情報は、音声集音部より取得された情報である。そのため、受信端末のユーザは、映像撮像装置や音声集音部が正常に稼動していることをリアルタイムで把握することができる。また、映像撮像装置を回転させるという操作を自ら行なうため、送信端末のユーザはプライバシの保護が行なわれていることを視覚的かつ直感的に把握することができる。
【０１１０】
＜第３の実施の形態＞
以下、第３の実施の形態について説明する。本実施の形態に係る送信端末３０００、受信端末２１００およびこれらを用いたシステムのハードウェア構造は、第１の実施の形態と比較して、回転部１２０４と回転検出部１２０６との代わりに、遮光体３１０２Ａと映像遮断検出部３１０４とが追加された構成であり、その他の構成は同じである。よって、それらの構成についての詳細な説明は繰り返さない。遮光体３１０２Ａと映像遮断検出部３１０４の構成については後述する。
【０１１１】
図１１を参照して、本実施の形態に係る送信端末３０００の制御ブロックについて説明する。なお、本発明に係る受信端末２１００は、第２の実施の形態に係る受信端末２１００と同じ構成であるので、ここでは説明を繰り返さない。
【０１１２】
本実施の形態に係る送信端末３０００の制御ブロックのうち、第２の実施の形態と同じである機能ブロックについては、同一の符号を付してある。それらの名称および機能も同じである。したがって、それらについての詳細な説明は繰り返さない。
【０１１３】
本実施の形態で送信端末３０００の制御ブロックは、第２の実施の形態に係る送信端末２０００の制御ブロック（図６）の回転部１２０４と回転検出部１２０６との代わりに、遮光体３１０２Ａと映像遮断検出部３１０４とが追加され、映像送信遮断部２１０２が削除された構成である。遮光体３１０２Ａは、被写体からの光の一部を遮断する。遮断の形態の詳細については後述する。
【０１１４】
映像遮断検出部３１０４は、遮光体３１０２Ａがユーザにより設置されたことを検出する。
【０１１５】
図１２を参照して、本実施の形態に係る送信端末３０００の遮光体３１０２Ａと映像遮断検出部３１０４との構造および遮断の形態について説明する。
【０１１６】
遮光体３１０２Ａは、映像入力部１２０２の前方に設置されるもので、送信端末３０００のユーザがプライバシの保護をしたい場合に設置される。遮光体３１０２Ａには映像撮像装置１１０４による撮像範囲に対して小さな穴３２０２が中央に開いている。通話状態では、遮光体３１０２Ａを取り除いた状態にし、被写体からの光がそのまま映像入力部１２０２のレンズ３２０４および絞り３２０６を通して映像素子３２０８に達する。
【０１１７】
一方、遮光体３１０２Ａの使用時には、被写体からの光のうち、遮光体３１０２Ａの穴３２０２を通過する光のみがレンズ３２０４、絞り３２０６および映像素子３２０８に達する。穴３２０２は、送信端末３０００のユーザの映像と認識することができず、かつ照度が検出できる程度の光を通す程度の大きさである。これにより、受信端末２１００のユーザは、何の映像なのか、誰の映像なのかを認識できず、かつ照度情報の取得が可能となる。また、図１２では中央に穴を１つ開けた図を示したが、穴の位置は、中央である必要はなく、遮光体３１０２Ａのどこにあってもよい。また穴の数は、複数であってもよいし、大きさも同じである必要はない。
【０１１８】
映像遮断検出部３１０４は、遮光体３１０２Ａが設置されたか否かを検出するセンサである。
【０１１９】
図１３を参照して、本実施の形態に係る送信端末３０００のＣＰＵ１１２２で実行されるプログラムの制御構造について説明する。このプログラムは、遮光体３１０２Ａが送信端末３０００のユーザにより設置された場合に実行される。
【０１２０】
なお、図１３に示すフローチャートの中で、図８と同じ処理については同じステップ番号を付してある。それらの処理も同じである。したがって、それらについての詳細な説明は、繰り返さない。
【０１２１】
Ｓ３００にて、ＣＰＵ１１２２は、映像が遮断されたことが検出されたか否かを判断する。この判断は、映像遮断検出部３１０４が、遮光体３１０２Ａが設置されたことを検出したか否かにより行なわれる。検出されたと判断されると（Ｓ３００にてＹＥＳ）、処理はＳ２０４に移される。もしそうでないと（Ｓ３００にてＮＯ）、処理はＳ３００に戻される。
【０１２２】
以上のような構造およびフローチャートに基づく、送信端末３０００の動作について説明する。
【０１２３】
送信端末３０００と受信端末２１００との間で、映像と音声とを用いて通信されている場合において、ユーザにより遮光体３１０２Ａがレンズ３２０４の前方に設置されると、映像遮断検出部３１０４により映像が遮断されたことが検出され（Ｓ３００にてＹＥＳ）、映像が遮断されたことを示す状態情報が状態情報生成部２１０４にて生成され、受信端末２１００に送信される（Ｓ２０４）。照度情報生成部２１０８により、穴３２０２を通過する光の照度を表わす情報が生成され、受信端末２１００に送信される（Ｓ２０６）。音量情報生成部２１１２により、音声集音部１１０６に集音される音声の音量を表わす情報が生成され、受信端末２１００に送信される（Ｓ２０８）。音声送信遮断部１２２０により音声情報の送信が遮断される（Ｓ２１０）。なお、遮光体３１０２Ａをレンズ３２０４の前から取り去ると、送信端末３０００のユーザの映像が撮像され、同時に音声の遮断も解除される。
【０１２４】
以上のようにして、本実施の形態に係る送信端末は、送信端末３０００のユーザにより映像入力部の前方に小さい穴が開いた遮光体を設置するという操作が行なわれることで、音声情報を受信端末に送信することを遮断する。同時に、送信端末側の照度情報と音量情報とを送信する。受信端末側では、音声が出力されなくなるが、何の映像なのか、誰の映像なのかを認識することができない映像と、照度を表わす情報と、音量を表わす情報とが出力される。
【０１２５】
これにより、送信端末のユーザは、穴が開いた遮光体を設置するという操作を行なうことで、映像のプライバシの保護を行なうことができる。また、音声情報の送信を遮断することができ、音声のプライバシの保護を行なうことができる。また、照度を表わす情報と音量を表わす情報とが受信端末に出力されるため、受信端末のユーザは、送信端末側の照度と音量との状況をリアルタイムで把握できる。また、何の映像なのか、誰の映像なのかを認識することができない映像が出力されている原因が、送信端末のユーザによるプライバシ保護であることを確実に認識できる。さらに、照度を表わす情報は、映像撮像装置より取得された情報である。音量を表わす情報は、音声集音部より取得された情報である。そのため、受信端末のユーザは、映像撮像装置や音声集音部が正常に稼動していることをリアルタイムで把握することができる。また、遮光体を設置するという操作を自ら行なうため、送信端末のユーザはプライバシの保護が行なわれていることを視覚的かつ直感的に把握することができる。
【０１２６】
＜第３の実施の形態の変形例（その１）＞
第３の実施の形態では、映像を遮断する方法として、遮光体３１０２Ａを使用したことにより、被写体の一部の光のみの照度情報を受信端末に送信した。
【０１２７】
これに対し、本変形例においては、遮光体３１０２Ａを使用せず、光を散乱させて透過する磨きガラス３１０２Ｂを使用する。
【０１２８】
図１４を参照して、本変形例に係る送信端末３００２の磨きガラス３１０２Ｂの構造と送信端末３００２の動作とについて説明する。
【０１２９】
磨きガラス３１０２Ｂは、送信端末のユーザの映像がはっきりと認識できず、かつ照度が検出できる程度の光を通すものである。
【０１３０】
通話状態では、磨きガラス３１０２Ｂを取り除いた状態なので、被写体からの光が直接レンズ３２０４および絞り３２０６を通して映像素子３２０８に達する。一方、送信端末のユーザが、磨きガラス３１０２Ｂを設置した場合には、送信端末のユーザの像を表わす光のうち、磨きガラス３１０２Ｂにより散乱し、磨きガラス３１０２Ｂを透過した光がレンズ３２０４、絞り３２０６および映像素子３２０８に達する。
【０１３１】
レンズ３２０４の前方に磨きガラス３１０２Ｂが設置されたことを、映像遮断検出部３１０４Ａが検出する。磨きガラス３１０２Ｂが設置されたことが検出されると、照度情報生成部２１０８により、磨きガラス３１０２Ｂを透過した光から照度情報が生成され、照度情報送信部２１１０より照度情報が送信される。音声送信遮断部１２２０により音声情報の送信も遮断される。磨きガラス３１０２Ｂがレンズ３２０４の前方から取り去られると、ユーザの映像が撮像され、同時に音声の遮断も解除される。
【０１３２】
以上のようにして、本実施の形態に係る送信端末は、送信端末のユーザにより映像入力部の前方に光を散乱させて光の一部しか透過させない磨きガラスを設置するという操作が行なわれることで、音声情報を受信端末に送信することを遮断する。同時に、送信端末側の照度情報と音量情報とを送信する。受信端末側では、音声が出力されなくなるが、何の映像なのか、誰の映像なのかを認識することができない程度にぼんやりとした映像と、照度を表わす情報と、音量を表わす情報とが出力される。
【０１３３】
これにより、送信端末のユーザは、光を散乱させて透過する磨きガラスを設置するという操作を行なうことで、映像のプライバシの保護を行なうことができる。また、音声情報の送信を遮断することができ、音声のプライバシの保護を行なうことができる。また、照度を表わす情報と音量を表わす情報とが受信端末に出力されるため、受信端末のユーザは、送信端末側の照度と音量との状況をリアルタイムで把握できる。また、何の映像なのか、誰の映像なのかを認識することができない映像が出力されている原因が、送信端末のユーザによるプライバシ保護であることを確実に認識できる。さらに、照度を表わす情報は、映像撮像装置より取得された情報である。音量を表わす情報は、音声集音部より取得された情報である。そのため、受信端末のユーザは、映像撮像装置や音声集音部が正常に稼動していることをリアルタイムで把握することができる。また、遮光体を設置するという操作を自ら行なうため、送信端末のユーザはプライバシの保護が行なわれていることを視覚的かつ直感的に把握することができる。
【０１３４】
＜第３の実施の形態の変形例（その２）＞
第３の実施の形態では、映像を遮断する方法として、遮光体３１０２Ａを使用した。これに対し、本変形例においては、遮光体３１０２Ａの使用せず、光を反射させて撮像方向を変更する鏡面体３１０２Ｃを使用する。
【０１３５】
図１５を参照して、本変形例に係る送信端末３００４の鏡面体３１０２Ｃの構造と送信端末３００４の動作とについて説明する。
【０１３６】
鏡面体３１０２Ｃは、内側が鏡３３０２、外側が遮光物質３３０４で構成され、回転軸３３０６を中心に上下に回転するように映像撮像装置１１０４に接続されている。図１５（ａ）に通常の通話状態を示す。このとき、鏡面体３１０２Ｃは、上方に保持されており、映像入力部１２０２にはユーザの映像がそのまま入力される。音声情報の送信も遮断されておらず会話が可能である。
【０１３７】
図１５（ｂ）に、送信端末３００４のユーザが映像情報を送信したくない場合の映像撮像装置１１０４の状態を示す。鏡面体３１０２Ｃは、映像入力部１２０２の前方に降され、ユーザの映像を遮断する。鏡面体３１０２Ｃは、映像入力部１２０２に対して斜めに設置されるため、上から照射される部屋の光３３０８を鏡３３０２に反射し、映像入力部１２０２に入力する。
【０１３８】
映像遮断検出部３１０４Ｂは、映像撮像装置１１０４に搭載され、鏡面体３１０２Ｃが、ユーザの操作により映像入力部１２０２の前方に降されたこと（図１５（ｂ）の状態）を検知する。
【０１３９】
映像遮断検出部３１０４Ｂにより鏡面体３１０２Ｃが映像入力部１２０２の前方に降されたことを検知すると、照度情報生成部２１０８により、鏡に反射して入力される上方から照射される部屋の光３３０８から照度情報が生成され、照度情報送信部２１１０より照度情報が送信され、音声情報の送信も遮断される。再び鏡面体３１０２Ｃを上方に上げ、図１５（ａ）の状態に戻すと、ユーザの映像が撮像され、音声情報の送信の遮断も解除される。ここで鏡面体３１０２Ｃは、部屋の照明が天井に設置されることが多いため、上方からの光を反射しやすいように設置しているが、鏡面体３１０２Ｃの設置角度は、その部屋の状況などに応じて変更してもよい。
【０１４０】
これにより、送信端末のユーザは、鏡面体を用いて鏡面体で反射する方向に撮像方向を変更することで、送信端末のユーザを含まない、鏡面体で反射した映像を受信端末に出力させることができる。そのため、送信端末のユーザは、自らの映像のプライバシを保護することができる。また、受信端末に出力される像は、送信端末の映像撮像装置により撮像された映像である。そのため、受信端末のユーザは、送信端末側の状況と、映像撮像装置が正常に稼動していることとを同時に把握することができる。さらに、送信端末のユーザは、鏡面体を設置するという操作を自ら行なう。そのため、送信端末のユーザは、プライバシの保護が行なわれていることを視覚的かつ直感的に把握することができる。
【０１４１】
以上のようにして、本実施の形態に係る送信端末は、送信端末３００４のユーザにより映像入力部の前方に鏡面体を設置するという操作が行なわれることで、音声情報を受信端末に送信することを遮断する。同時に、送信端末側の照度情報と音量情報とを送信する。受信端末側では、音声が出力されなくなるが、鏡面体で反射した映像と、照度を表わす情報と、音量を表わす情報とが出力される。
【０１４２】
これにより、送信端末のユーザは、鏡面体を設置するという操作を行なうことで、映像のプライバシの保護を行なうことができる。また、音声情報の送信を遮断することができ、音声のプライバシの保護を行なうことができる。また、照度を表わす情報と音量を表わす情報とが受信端末に出力されるため、受信端末のユーザは、送信端末側の照度と音量との状況をリアルタイムで把握できる。また、鏡面体で反射した映像が出力されている原因が、送信端末のユーザによるプライバシ保護であることを確実に認識できる。さらに、照度を表わす情報は、映像撮像装置より取得された情報である。音量を表わす情報は、音声集音部より取得された情報である。そのため、受信端末のユーザは、映像撮像装置や音声集音部が正常に稼動していることをリアルタイムで把握することができる。また、遮光体を設置するという操作を自ら行なうため、送信端末のユーザはプライバシの保護が行なわれていることを視覚的かつ直感的に把握することができる。
【０１４３】
＜第４の実施の形態＞
第１の実施の形態〜第３の実施の形態に共通する第４の実施の形態について説明する。第１の実施の形態〜第３の実施の形態においては、送信端末の音声送信遮断部１２２０は、音声集音部１１０６から入力した音声情報の送信を完全に遮断しているが、これにより受信端末のユーザは送信端末側の音声の状況が把握できなくなる。
【０１４４】
これに対し、本実施の形態に係る送信端末３００６においては、第１の実施の形態および第２の実施の形態に係る回転検出部１２０６における映像撮像装置１１０４の回転の検出や、第３の実施の形態に係る映像遮断検出部３１０４における遮光体３１０２Ａの遮断の検出に対応して、送信端末の音声情報の送信を音声送信遮断部１２２０により遮断する代わりに、受信端末のユーザが送信端末の音声集音部１１０６に何か音が入力されていることがわかる程度に音量レベルを落とす。また、受信端末のユーザが送信端末のユーザが何をしゃべっているのかわからないように音声の周波数を変調する。また、音声符号化処理部１２１６で、高品質の符号化処理から低品質の符号化処理にすることで音声を認識し難くする。
【０１４５】
また、第１の実施の形態〜第３の実施の形態において映像撮像装置１１０４を回転させたり、映像を遮断した場合に、ユーザが実際の映像情報を送信することを選択した場合には、高品質の映像を送信する必要はないので、映像符号化処理部１２０８においてフレームレートを下げたり、解像度を下げたりする。
【０１４６】
これにより、受信端末に、どのような会話を行なっているのかを認識できない程度の音声が出力される。また、何の映像なのか、誰の映像なのかを認識することができない程度の映像が出力される。そのため、送信端末のユーザは、映像と音声とのプライバシを保護することができる。同時に、また、受信端末に出力される映像および音声が、送信端末の映像撮像装置および音声集音部より取得された情報であるので、受信端末のユーザは、送信端末側の映像と音声との状況と、映像撮像装置と音声集音部とが正常に稼動していることとを同時に把握することができる。
【０１４７】
＜第５の実施の形態＞
第２の実施の形態および第３の実施の形態に共通する第５の実施の形態について説明する。第２の実施の形態および第３の実施の形態においては、送信端末は、映像撮像装置１１０４の回転の検出や、遮光体３１０２Ａの遮断の検出に連動して、音声情報の送信を遮断し、音量を検出し、その音量情報を生成して、受信端末に送信する。受信端末は音量を表わす情報（音量レベル）を出力する。
【０１４８】
これに対し、本実施の形態に係る送信端末３００８においては、送信端末のユーザの指示により音声情報の送信を遮断したことを検知する音声遮断検知部と、音声情報の送信を遮断したことに連動して、音声情報の遮断に連動して、音量情報を送信する制御部とを追加する。
【０１４９】
音量情報を送信する制御部は、音声遮断検知部が音声情報の送信の遮断を検知すると、音声を検出し、その音量情報を生成して、受信端末に送信するように送信端末を制御する。
【０１５０】
これにより、送信端末のユーザは、音声のプライバシを保護したい場合に、受信端末に音声の出力を停止させ、音量を表わす情報を出力させることができ、自らの音声のプライバシを保護することができる。また、受信端末のユーザは、音量を表わす情報が、音声集音部より取得された情報であるため、送信端末側の状況と、音声集音部が正常に稼動していることとを同時に把握することができる。さらに、受信端末のユーザは、音声が出力されず、音量を表わす情報が出力されていることで、送信端末のユーザが、プライバシの保護を行なっていることを確実に認識できる。
【０１５１】
＜第６の実施の形態＞
以下、第６の実施の形態について説明する。第２の実施の形態および第３の実施の形態において、送信端末３０００で取得した照度情報および音量情報を、受信端末２１００に出力する場合を説明した。
【０１５２】
本実施の形態では、本実施の形態に係る受信端末４１００の要求に対応して、送信端末４０００で取得した照度情報および音声情報を含むさまざまな情報を、受信端末４１００に出力する場合について説明する。
【０１５３】
本実施の形態に係る送信端末４０００、受信端末４１００およびこれらを用いたシステムのハードウェア構造は、第１の実施の形態と比較して、送信端末４０００および受信端末４１００の記憶部１２２６に記憶されるデータが追加され、その他の構成は同じである。よって、それらの構成についての詳細な説明は繰り返さない。  
【０１５４】
図１６を参照して、受信端末４１００の記憶部１１２６に記憶される相手プレゼンス情報４１０２を登録したテーブルの構成について説明する。なお、相手プレゼンス情報４１０２とは、送信端末側のプレゼンス（状態）を映像出力部１１１４に表示するための情報である。図１６に示す場合では、相手プレゼンス情報の取得要求（購読要求）している送信端末として５台の送信端末が存在している。各送信端末から取得する相手プレゼンス情報４１０２として、送信端末のユーザの名前、プレゼンスアイコンの色、テレビ電源状態、居室照度、居室音量、動き検出状態、天気情報、および相手画像の所在場所を示すアドレス情報（ＵＲＬアドレス）の各情報が保存される。その他に、送信端末のアドレスを示すＳＩＰ（Session Initiation Protocol）アドレス、送信端末４０００との通話状態、および送信端末４０００の留守設定ボタンの状態を表わす情報も保存される。居室照度、居室音量は、照度情報生成部２１０８と音量情報生成部２１１２とによって生成された送信端末４０００の居室（部屋）の明るさと音量との情報である。
【０１５５】
なお、「名前」欄には、受信端末４１００のユーザが、送信端末４０００を容易に特定可能とするために付与している名前情報（ニックネーム）が登録されており、たとえばＳＩＰアドレス「abc＠defgh.co.jp」の送信端末は「おばあちゃんち」である旨を、受信端末４１００のユーザが登録している。また、「画像」欄には、送信端末４０００のユーザの画像のアドレス情報としてＵＲＬアドレスのみが保存されている場合を示しているが、アドレス情報を用いて取得した相手画像も含めて保存するようにしてもよい。
【０１５６】
図１７を参照して、送信端末４０００の記憶部１１２６に記憶される自プレゼンス情報４１０４を登録したテーブルの構成について説明する。なお、自プレゼンス情報４１０４とは、送信端末側のプレゼンスを受信端末４１００に送信するための情報である。自プレゼンス情報４１０４には、送信端末４０００のプレゼンスが登録されている。相手プレゼンス情報４１０２と同様のテーブル構成である。ただし、自画像データを示す「画像」欄には、自画像データの所在場所を示すアドレス情報（ＵＲＬ情報）とともに、たとえばｊｐｅｇ画像データとして自身の静止画イメージを示す「mypicture.jpg」すなわち自画像データそのものが保存される。なお、送信端末４０００との通信用のアドレスを示すＳＩＰアドレスを自プレゼンス情報としては設定していない場合を示しているが、ＳＩＰアドレスも自プレゼンス情報として設定するようにしてもよい。
【０１５７】
図１８を参照して、受信端末４１００の記憶部１１２６に記憶される購読要求リスト４１０６について説明する。なお、購読要求リスト４１０６とは、受信端末４１００において、プレゼンスの購読要求を行なう対象として登録された送信端末４０００に関する情報である。図１８に示す場合では、４台の送信端末４０００のプレゼンスの購読要求が登録されており、それぞれの送信端末４０００のＳＩＰアドレスが、状態および備考とともに登録さている。
【０１５８】
図１９を参照して、送信端末４０００の記憶部１１２６に記憶されるプレゼンス配布リスト４１０８について説明する。なお、プレゼンス配布リスト４１０８とは、自プレゼンス情報４１０４の配布先である受信端末のアドレスを登録したリストである。図１９に示す場合では、４台の受信端末４１００のアドレスが自プレゼンス情報４１０４の配布先として登録されている。
【０１５９】
図２０を参照して、送信端末４０００と受信端末４１００との間で行なうプレゼンス交換の手順を説明する。受信端末４１００のユーザが送信端末４０００の自プレゼンス情報４１０４を知りたい場合、受信端末４１００のユーザは、送信端末４０００のＳＩＰアドレスを受信端末４１００に入力する。送信端末４０００は、指定されたＳＩＰアドレスを購読要求リスト４１０６に登録し、送信端末４０００に対して、自プレゼンス情報４１０４の購読要求を示す信号として「ＳＵＢＳＣＲＩＢＥ」信号Ｍ１（以下、Ｍ１とする。）を送信する。
【０１６０】
Ｍ１を受信した送信端末４０００のユーザが、自プレゼンス情報４１０４を受信端末４１００に対して通知してもよいと判断した場合には、受信端末４１００のＳＩＰアドレスをプレゼンス配布リスト４１０８に登録し、Ｍ１の要求の受諾を示す「ＯＫ」信号Ｍ２（以下、Ｍ２とする。）を受信端末４１００に返信する。
【０１６１】
一方、送信端末４０００が、自プレゼンス情報４１０４を受信端末４１００に対して通知したい状況が発生した場合には、自プレゼンス情報４１０４を読出して、自プレゼンス情報４１０４を通知するための信号として「ＮＯＴＩＦＹ」信号Ｍ３（以下、Ｍ３とする。）を生成し、プレゼンス配布リスト４１０８に登録される受信端末４１００に送信する。Ｍ３を受信した受信端末４１００は、Ｍ３に対する受信確認として「ＯＫ」信号Ｍ４（以下、Ｍ４とする。）を送信端末４０００に返信する。さらに、受信端末４１００は、受信したＭ３に含まれている送信端末４０００のプレゼンス情報を相手プレゼンス情報４１０２に登録するとともに、映像出力部１１１４に出力する。
【０１６２】
なお、送信端末４０００が、Ｍ３を送信する送信タイミングとして、送信端末４０００のユーザのプレゼンスが変化した時点、Ｍ２を返信した時点、それ以外の任意の時点を設定することができる。ここで、任意の時点としては、送信端末のユーザが指示した時点であってもよいし、あるいは、予め定められた周期で定期的に送信するようにしてもよい。
【０１６３】
居室照度情報の配信は、映像撮像装置１１０４の回転を回転検出部１２０６が検出した時点で行なってもよい。また、たとえば５秒間の平均照度（あるいは照度の積分値）を測定し、結果を０から１０の値に変換して、５秒間隔で行なってもよいし、照度情報が予め定められた閾値以上変化した時点で行なってもよい。居室音声情報の配信についても、映像撮像装置１１０４の回転を回転検出部１２０６が検出した時点で行なってもよい。
【０１６４】
また、ＳＩＰプロトコルでは、プレゼンス購読要求元の受信端末４１００は、すでにＭ３を受信している送信端末４０００に対しても、受信端末４１００のユーザが要求する任意の時点で、Ｍ１を送信することができる。また、Ｍ１を受信した送信端末４０００は、受信端末４１００に対して、必ず、Ｍ３を返信することが必要である。したがって、受信端末４１００のユーザは、Ｍ１を所望する任意の時点で送信することを指示することにより、オンデマンドでＭ３を受信することができ、所望の時点で送信端末４０００のプレゼンスをリアルタイムに取得して出力することができる。
【０１６５】
本発明に係る送信端末４０００と受信端末４１００との間でテレビ電話を行なう場合、テレビ電話を実際に行なう「コミュニケーション」と、プレゼンス情報を交換し合う「プレゼンス交換」との２つの通信シーケンスによって実現される。ここで、テレビ電話を実際に行なう「コミュニケーション」は、一般的な実現方法を用いることが可能であり、ＳＩＰを用いた呼制御と、呼制御により確立された呼に基づいて、ＲＴＰ（Real-time Transport Protocol）を用いたストリームデータ通信とを用いて実現される。また、「プレゼンス交換」は、ＳＩＰを用いて実現される。
【０１６６】
図２１を参照して、受信端末４１００のＣＰＵ１１２２で実行されるプログラムの制御構造について説明する。このプログラムは、受信端末４１００が、Ｍ１を送信して、Ｍ２を受信する場合に実行される。
【０１６７】
Ｓ４００にて、ＣＰＵ１１２２は、受信端末４１００のユーザによりＭ１を送信する送信端末４０００のアドレスが入力されたか否かを判断する。アドレスが入力されたと判断されると（Ｓ４００にてＹＥＳ）、処理はＳ４０２に移される。もしそうでないと（Ｓ４００にてＮＯ）、処理はＳ４００に戻される。
【０１６８】
Ｓ４０２にて、ＣＰＵ１１２２は、指定された送信端末４０００のアドレスを、購読要求リスト４１０６に「購読要求未設定」の状態にして追加登録する。なお、「購読要求未設定」は、まだ、プレゼンス購読要求先の送信端末４０００に対して、Ｍ１を送信していない状態にあることを示す。
【０１６９】
Ｓ４０４にて、ＣＰＵ１１２２は、購読要求リトライタイマの計時を開始する。
Ｓ４０６にて、ＣＰＵ１１２２は、購読要求リスト４１０６に登録された送信端末４０００のアドレスに、Ｍ１を送信する。
【０１７０】
Ｓ４０８にて、ＣＰＵ１１２２は、Ｍ２が返信されてきたか否かを判断する。返信されてきたと判断されると（Ｓ４０８にてＹＥＳ）、処理はＳ４１２に移される。もしそうでないと（Ｓ４０８にてＮＯ）、処理はＳ４１０に移される。  
【０１７１】
Ｓ４１０にて、ＣＰＵ１１２２は、購読要求リトライタイマがタイムアウトしたか否かを判断する。この判断は、Ｓ４０４で計時を開始してから、ユーザにより予め設定された時間が経過したか否かで行なわれる。予め設定された時間が経過したと判断されると（Ｓ４１０にてＹＥＳ）、処理はＳ４０６に戻される。もしそうでないと（Ｓ４１０にてＮＯ）、処理はＳ４０８に戻される。
【０１７２】
Ｓ４１２にて、ＣＰＵ１１２２は、購読要求リスト４１０６の「状態」欄を、「購読要求未設定」から「購読要求設定済み」に変更する。なお、「購読要求設定済み」とは、購読要求先の送信端末４０００から、Ｍ２をすでに受信した状態にあることを示す。
【０１７３】
なお、図２１のフローチャートには示していないが、Ｍ１に対する応答として、購読要求先の送信端末４０００から、購読要求を拒否する旨を示す「ＮＧ」信号が返信されてきた場合、送信端末４０００のプレゼンス購読要求を放棄し、購読要求リスト４１０６から、送信端末４０００のアドレスを削除して処理を終了する。
【０１７４】
図２２を参照して、送信端末４０００のＣＰＵ１１２２で実行されるプログラムの制御構造について説明する。このプログラムは、送信端末４０００が、Ｍ１を受信して、Ｍ２を送信する場合に実行される。
【０１７５】
Ｓ４２０にて、ＣＰＵ１１２２は、Ｍ１を受信したか否かを判断する。受信したと判断されると（Ｓ４２０にてＹＥＳ）、処理はＳ４２２に移される。もしそうでないと（Ｓ４２０にてＮＯ）、処理はＳ４２０に戻される。
【０１７６】
Ｓ４２２にて、ＣＰＵ１１２２は、Ｍ１を送信した受信端末４１００のアドレスに、送信端末４０００のユーザのプレゼンスを提供してもよいか否かを判断する。この判断は、送信端末４０００のユーザにより、プレゼンスを提供してもよい旨が入力されたか否かにより行なわれる。提供してもよいと判断された場合（Ｓ４２２にてＹＥＳ）、処理はＳ４２６に移される。もしそうでないと（Ｓ４２２にてＮＯ）、処理はＳ４２４に移される。
【０１７７】
Ｓ４２４にて、ＣＰＵ１１２２は、Ｍ１に対する応答として、購読要求を拒否する旨を示す「ＮＧ」信号を、受信端末４１００に返信する。
【０１７８】
Ｓ４２６にて、ＣＰＵ１１２２は、プレゼンス配布リスト４１０８に、Ｍ１を送信した受信端末４１００のアドレスを追加登録する。
【０１７９】
Ｓ４２８にて、ＣＰＵ１１２２は、Ｍ２を受信端末４１００に対して返信する。
なお、Ｓ４２２の判断は、プレゼンス購読要求を受け入れるか否かを予め設定した「ポリシーファイル」（誰からのプレゼンス購読要求を受諾するか、誰からのプレゼンス購読要求を拒否するかとの設定を記述したファイル）をＳＩＰアドレスを用いて参照することにより、自動的に判断してもよい。
【０１８０】
図２３を参照して、送信端末４０００のＣＰＵ１１２２で実行されるプログラムの制御構造について説明する。このプログラムは、送信端末４０００が、Ｍ３を送信して、Ｍ４を受信する場合に実行される。
【０１８１】
Ｓ４３０にて、ＣＰＵ１１２２は、送信端末４０００のユーザによりＭ３を送信することが指示されると、プレゼンス配布リスト４１０８に登録されている受信端末４１００のアドレスを読出す。
【０１８２】
Ｓ４３２にて、ＣＰＵ１１２２は、照度情報生成部２１０８、音量情報生成部２１１２より取得した、照度情報や音量情報を含む自プレゼンス情報４１０４を記憶部１２２６より読出す。
【０１８３】
Ｓ４３４にて、ＣＰＵ１１２２は、読出した自プレゼンス情報４１０４を送信するためのＭ３を生成して、プレゼンス配布リスト４１０８に登録されている配布先の受信端末４１００のアドレスに送信する。
【０１８４】
Ｓ４３６にて、ＣＰＵ１１２２は、プレゼンス配布リスト４１０８に登録されているすべてのアドレスに、Ｍ３を送信したか否かを判断する。すべて送信したと判断されると（Ｓ４３６にてＹＥＳ）、処理はＳ４３８に移される。もしそうでないと（Ｓ４３６にてＮＯ）、処理はＳ４３６に戻される。
【０１８５】
Ｓ４３８にて、ＣＰＵ１１２２は、Ｍ４が返信されてきたか否かを判断する。返信されたと判断されると（Ｓ４３８にてＹＥＳ）、処理はＳ４４０に移される。もしそうでないと（Ｓ４３８にてＮＯ）、処理はＳ４３８に戻される。
【０１８６】
Ｓ４４０にて、ＣＰＵ１１２２は、Ｍ３を送信したすべての配布先からＭ４が返信されてきたか否かを判断する。判断されると（Ｓ４４０にてＹＥＳ）、処理は終了する。もしそうでないと（Ｓ４４０にてＮＯ）、処理はＳ４４０に戻される。
【０１８７】
ここで、Ｓ４３０にてＭ３を送信するタイミングは、受信端末４１００からＭ１を受信した時点でもよいし、送信端末４０００のプレゼンスが変化した時点でもよいし、あるいは、プレゼンスの変化の有無に関係なく定期的に送信するようにしてもよい。
【０１８８】
なお、居室照度情報や居室音声情報については、コミュニケーションのために接続を行なっている受信端末４１００に対してのみ配布を行なうようにしてもよい。また、配布先毎に異なる複数種類の自プレゼンス情報を保存しておき、ステップＳ４３２で取出す自プレゼンス情報４１０４として、配布先に応じて異なる自プレゼンス情報を取出すように構成してもよい。
【０１８９】
ここで、図１９には示していないが、Ｍ４以外の信号、すなわち「ＯＫ」信号以外の応答信号を受信した場合には、応答信号の送信元の受信端末４１００のアドレスをプレゼンス配布リスト４１０８から削除して、以降のプレゼンスの配布を取り止めるようにしてもよい。
【０１９０】
図２４を参照して、受信端末４１００のＣＰＵ１１２２で実行されるプログラムの制御構造について説明する。このプログラムは、受信端末４１００が、Ｍ３を受信して、Ｍ４を送信する場合に実行される。
【０１９１】
Ｓ４５０にて、ＣＰＵ１１２２は、Ｍ３を受信したか否かを判断する。受信したと判断されると（Ｓ４５０にてＹＥＳ）、処理はＳ４５２に移される。もしそうでないと（Ｓ４５０にてＮＯ）、処理はＳ４５０に戻される。
【０１９２】
Ｓ４５２にて、ＣＰＵ１１２２は、Ｍ３に含まれる送信端末のプレゼンス情報とアドレスとを相手プレゼンス情報４１０２に、登録する。
【０１９３】
Ｓ４５４にて、ＣＰＵ１１２２は、Ｍ４を、Ｍ３を送信した送信端末４０００に返信する。
【０１９４】
Ｓ４５６にて、ＣＰＵ１１２２は、Ｍ３を送信した送信端末４０００の相手プレゼンス情報４１０２が映像出力部１１１４にすでに出力されているか否かを判断する。出力されていると判断されると（Ｓ４５６にてＹＥＳ）、処理はＳ４５８に移される。もしそうでないと（Ｓ４５６にてＮＯ）、処理は終了する。
【０１９５】
Ｓ４５８にて、ＣＰＵ１１２２は、映像出力部１１１４にすでに出力されている相手プレゼンス情報４１０２のうち、Ｍ３を送信した送信端末４０００のプレゼンス情報を、受信した最新のプレゼンス情報に更新して出力する。
【０１９６】
ここで、相手プレゼンス情報４１０２に、送信元の自画像の画像データそのものではなく、画像データが存在しているアドレス情報が含まれている場合には、アドレス情報を用いて画像データにアクセスして、送信元の自画像を取得して、相手プレゼンス情報４１０２として追加登録する。さらに、追加登録した相手プレゼンス情報４１０２と、テレビ電話のアドレス帳との間でリンクを張り直すようにして、アドレス帳を画面表示した際に、今回登録した相手プレゼンス情報４１０２（たとえば相手画像）が、送信端末４０００の氏名やアドレスとともに表示されるようにしてもよい。
【０１９７】
このようにして、受信端末４１００は、映像出力部１１１４に出力されている送信端末４０００の最新のプレゼンスをリアルタイムに視聴することが可能である。
【０１９８】
以上のような構造およびフローチャートに基づく、受信端末４１００および送信端末４０００の動作について説明する。
【０１９９】
［受信端末のＭ１送信とＭ２受信との動作］
受信端末４１００のユーザによりＭ１を送信する送信端末４０００のアドレスが入力されると（Ｓ４００にてＹＥＳ）、入力された送信端末４０００のアドレスが、購読要求リスト４１０６の「状態」欄を「購読要求未設定」の状態にして追加登録される（Ｓ４０２）。Ｓ４０４にて、購読要求リトライタイマの計時が開始され（Ｓ４０４）、購読要求リスト４１０６に登録された送信端末４０００のアドレスに、Ｍ１が送信される（Ｓ４０６）。Ｍ２が返信されると（Ｓ４０８にてＹＥＳ）、購読要求リスト４１０６の「状態」欄が、「購読要求未設定」から「購読要求設定済み」に変更される（Ｓ４１２）。
【０２００】
［送信端末のＭ１受信とＭ２送信との動作］
受信端末４１００よりＭ１が受信され（Ｓ４２０にてＹＥＳ）、Ｍ１を送信した受信端末４１００に、送信端末４０００のユーザのプレゼンスを提供してもよいと判断されると（Ｓ４２２にてＹＥＳ）、プレゼンス配布リスト４１０８に、Ｍ１を送信した受信端末４１００のアドレスが追加登録され（Ｓ４２６）、Ｍ２が受信端末４１００に対して返信される（Ｓ４２８）。
【０２０１】
［送信端末のＭ３送信とＭ４受信との動作］
送信端末４０００のユーザにより、Ｍ３を送信することが指示されると、プレゼンス配布リスト４１０８に登録されている受信端末４１００のアドレスが読出され（Ｓ４３０）、照度情報生成部２１０８、音量情報生成部２１１２より取得した、照度情報や音量情報を含む自プレゼンス情報４１０４が記憶部１２２６から読出される（Ｓ４３２）。読出された自プレゼンス情報４１０４を送信するためのＭ３が生成され、読出された受信端末４１００のアドレスに送信される（Ｓ４３４）。すべてのプレゼンス配布先にＭ３を送信したと判断され（Ｓ４３６にてＹＥＳ）、Ｍ４が返信された場合（Ｓ４３８にてＹＥＳ）、Ｍ３を送信したすべての配布先からＭ４が返信されてきたか否かが判断される（Ｓ４４０）。
【０２０２】
［受信端末のＭ３受信とＭ４送信との動作］
受信端末４１００によりＭ３が受信されると（Ｓ４５０にてＹＥＳ）、Ｍ３のプレゼンス情報と送信端末のアドレスとが相手プレゼンス情報４１０２に、登録され（Ｓ４５２）、Ｍ４が送信端末４０００に返信される（Ｓ４５４）。Ｍ３を送信した送信端末４０００の相手プレゼンス情報４１０２が、映像出力部１１１４にすでに出力されている場合（Ｓ４５６にてＹＥＳ）、映像出力部１１１４にすでに出力されている相手プレゼンス情報４１０２のうち、Ｍ３を送信した送信端末４０００のプレゼンス情報が、受信した最新のプレゼンス情報に更新されて出力される（Ｓ４５８）。
【０２０３】
図２５を参照して、Ｍ３の内容について説明する。Ｍ３に含まれるプレゼンス情報は、「基本情報」と「付加情報」とによって構成される。「基本情報」は、プレゼンス情報を配信していることを示すための必須情報であり、「付加情報」はオプション情報として必要に応じて付加する形式の情報である。
【０２０４】
プレゼンス情報の「基本情報」は、相手プレゼンス情報４１０２および自プレゼンス情報４１０４に記載の「プレゼンスランプ／プレゼンスアイコンの色」を示す情報であり、送信端末４０００に対してプレゼンス情報を表示するか否かを指示する情報である。図２５に示す場合では、送信端末４０００に対して自プレゼンス情報を相手プレゼンス情報として表示することを指示し、かつ、プレゼンスアイコンの色を“ＧＲＥＥＮ”で表示することを指示する。
【０２０５】
また、「付加情報」として、相手プレゼンス情報４１０２および自プレゼンス情報４１０４に記載の「プレゼンスランプ／プレゼンスアイコンの色」および「名前」以外の各種情報が必要に応じて付加される。たとえば、「通話状態」（“Call-state”）、「留守設定ボタン」（“Absence”）、「テレビ電源状態」（“Monitor”）、「居室照度」（“Brightness”）、「居室音量」（“Volume”）、「動き検出」（“Motion”）、「リモコン操作」（“Controller”）、「天気」（“Weather”）、および「画像」（“Picture”）の各情報が付加される。
【０２０６】
なお、図２５に示す場合では、付加情報の「画像」（“Picture”）には、データ量が多い画像データそのものではなく、自画像を示す画像データが所在している所在場所を示すアドレス情報として、たとえば「http://www.abcde.co.jp/xyz/mypicture.jpg」というＵＲＬ情報が記載される。
【０２０７】
ここで、付加情報のいずれの項目を送信するかは、Ｍ３の送信側である送信端末４０００のユーザが任意にカスタマイズすることが可能である。一方、付加情報として送信されない項目を画面上にどのように表示するかは、Ｍ３の受信側である受信端末４１００における相手プレゼンス情報表示用のアプリケーションに依存して、任意にカスタマイズすることができる。図２５に示す場合では、Ｍ３の送信側である送信端末４０００で、「留守設定ボタン」は「ＯＦＦ」として、在室している状態にあり、受信側における相手プレゼンスを示す詳細な情報として、「テレビ電源状態」、「居室照度」および「居室音量」などの情報が付加されて送信されてきており、Ｍ３の受信側の受信端末４１００には、それらの情報が映像出力部１１１４に出力される。
【０２０８】
一方、たとえば、Ｍ３の送信側である送信端末４０００のユーザが、「留守設定ボタン」を「ＯＮ」にして、離席している状態にある場合は、「留守設定ボタン」のみを受信側の受信端末４１００に送信し、「テレビ電源状態」、「居室照度」、「居室音量」などの情報を送信しないようにすることが可能である。
【０２０９】
また、Ｍ３の送信側である送信端末４０００のユーザが、自己のプレゼンスを示す画像として受信端末４１００に表示する画像をまだ準備できていない場合は、「画像」の情報を受信端末４１００に送信しないようにすることができる。受信端末４１００において、「画像」の情報が送信されてこない場合は、受信端末４１００における相手プレゼンス情報表示用のアプリケーションにより予め定められたデフォルト画像として用意される代替画像を、たとえば、「写真準備中」などの文字表示を伴うイラスト画像を代替用（デフォルト）の画像として、相手画像の代わりに画面表示するようにしてもよい。
【０２１０】
なお、Ｍ３を受信した受信端末４１００においては、受信端末４１００のユーザが、送信端末４０００の相手プレゼンス情報を表示したい旨をリモコンを操作して指示すると、相手プレゼンス情報表示用のアプリケーションが起動して、相手プレゼンス情報４１０２から送信端末４０００の相手プレゼンス情報を読出して、モニタに画面表示する。この際、相手画像がまだ取得されていない場合、予め定められた代替画像（たとえば「写真取得中」の文字列を含むイラスト画像）を相手画像の代わりに画面表示する。
【０２１１】
図２６を参照して、受信端末４１００の映像出力部１１１４に出力される相手情報表示領域４２００について説明する。
【０２１２】
受信端末４１００のユーザの指示により、送信端末４０００のユーザのプレゼンスを示す相手プレゼンス情報４１０２が記憶部１２２６から読出されて、相手プレゼンス表示情報４２０２が表示される。
【０２１３】
相手プレゼンス表示情報４２０２には、名前情報４２０４、相手プレゼンスアイコン４２０６、相手画像情報４２０８、相手テレビ状態情報４２１０、相手居室音量情報４２１２、相手居室照度情報４２１４、相手動き検出アイコン４２１６、相手リモコン操作アイコン４２１８、および相手天気情報４２２０が表示される。
【０２１４】
名前情報４２０４は、プレゼンスを示す送信端末のユーザの名前（図２６に示す場合は「おばあちゃんち」）である。
【０２１５】
相手プレゼンスアイコン４２０６は、送信端末４０００のプレゼンスを示す識別表示であり、Ｍ３の「基本情報」に設定されている場合にのみ表示される。相手プレゼンスアイコン４２０６の表示色も、Ｍ３に応じて送信端末４０００ごとに変更して表示することが可能である。
【０２１６】
相手画像情報４２０８は、送信端末４０００の「おばあちゃんち」の現在の様子を送信端末４０００のプレゼンスの１つとして表示する静止画である。送信端末４０００のユーザが撮像した画像の所在場所を示すアドレス情報がＭ３に含まれている場合にのみ表示される。なお、相手画像情報４２０８としては、予め定められた継続時間、たとえば数秒ないし数分程度の動画像を用いるようにしてもよい。
【０２１７】
相手テレビ状態情報４２１０は、送信端末４０００の映像撮像装置１１０４の電源がＯＮかＯＦＦかを示す情報であり、Ｍ３に情報が設定されている場合にのみ表示される。  相手居室音量情報４２１２および相手居室照度情報４２１４は、送信端末４０００の音声集音部１１０６と照度情報生成部２１０８とによって取得された送信端末４０００の居室（部屋）の音量と明るさとを示す情報であり、Ｍ３に情報が設定されている場合にのみ表示される。相手居室音量情報４２１２、相手居室照度情報４２１４の表示方法は、インジケータで段階表示される。なお、表示方法については、０から１０の数字をそのまま表示するなどしてもよい。
【０２１８】
相手動き検出アイコン４２１６および相手リモコン操作アイコン４２１８は、送信端末４０００が、送信端末４０００のユーザの動きやリモコン信号を、それぞれ検出したことを示す情報であり、Ｍ３に情報が設定されている場合にのみ表示される。なお、相手動き検出アイコン４２１６および相手リモコン操作アイコン４２１８の表示形式として、点滅表示として表示させたり、よりビジュアルに表示するために、時間経過に応じた形状変化により動的に表示したりしてもよい。
【０２１９】
相手天気情報４２２０は、送信端末４０００が設置されている地域の天候を示す情報であり、Ｍ３に情報が設定されている場合にのみ表示される。
【０２２０】
また、相手情報表示領域４２００には、相手プレゼンス表示情報４２０２のみならず、自身の受信端末４１００におけるプレゼンス情報も表示することが可能である。図２６に示す場合では、受信端末４１００のユーザ自身を撮影している自画像情報４２２４、現在の時刻を示す現在時刻情報４２２６が表示されている。
【０２２１】
自画像情報４２２４は、受信端末４１００の映像撮像装置１１０４により撮影されている、受信端末４１００のユーザ自身の画像である。現在時刻情報４２２６は、受信端末４１００に内蔵されている時計の時刻の情報である。時刻のみならず、現在の年月日を示すカレンダ情報も含めて表示するようにしてもよい。
【０２２２】
また、相手プレゼンス表示情報４２０２に表示した送信端末４０００とのテレビ電話の状態を示す通話状態情報４２２２が、同一画面上にさらに合成して表示される。ここで言う、通話状態とは、相手プレゼンス表示情報４２０２に表示した送信端末４０００とテレビ電話の通信を行なうオフフック状態（発信状態）にあるか、オンフック状態（切断状態）にあるかを示す情報であり、受信端末４１００の通信状態に応じて表示される。
【０２２３】
以上のような各種の詳細情報を、たとえば、自己の受信端末４１００を設置している居室の様子を壁紙として撮影した画像の上に合成して表示するようにしてもよい。
【０２２４】
これにより、送信端末４０００の現在の状態を示す各種のプレゼンスと受信端末４１００のプレゼンスとを総合的に把握することが可能であり、よりスムーズにコミュニケーションを図ることができる。また、受信端末のユーザは、映像出力部に出力されている送信端末の最新のプレゼンスをリアルタイムに視聴することが可能である。
【０２２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２２６】
【図１】本発明の第１の実施の形態に係る送信端末、受信端末およびこれらを用いたシステムのハードウェア構成図である。
【図２】本発明の第１の実施の形態に係る送信端末の制御ブロック図である。
【図３】本発明の第１の実施の形態に係る受信端末の制御ブロック図である。
【図４】本発明の第１の実施の形態に係る送信端末の映像撮像装置の説明図である。
【図５】本発明の第１の実施の形態に係る送信端末のＣＰＵで実行されるプログラムの制御構造についての説明図である。
【図６】本発明の第２の実施の形態に係る送信端末の制御ブロック図である。
【図７】本発明の第２の実施の形態に係る受信端末の制御ブロック図である。
【図８】本発明の第２の実施の形態に係る送信端末のＣＰＵで実行されるプログラムの制御構造についての説明図である。
【図９】本発明の第２の実施の形態に係る受信端末のＣＰＵで実行されるプログラムの制御構造についての説明図である。
【図１０】本発明の第２の実施の形態に係る受信端末の映像出力部に出力される内容の説明図である。
【図１１】本発明の第３の実施の形態に係る送信端末の制御ブロック図である。
【図１２】本発明の第３の実施の形態に係る送信端末の遮光体と映像遮断検出部との構造についての説明図である
【図１３】本発明の第３の実施の形態に係る送信端末のＣＰＵで実行されるプログラムの制御構造についての説明図である。
【図１４】本発明の第３の実施の形態の変形例（その１）に係る送信端末の磨きガラスの構造と送信端末の動作とについての説明図である。
【図１５】本発明の第３の実施の形態の変形例（その２）に係る送信端末の鏡面体の構造と送信端末の動作とについての説明図である。
【図１６】本発明の第６の実施の形態に係る受信端末の記憶部に記憶される、相手プレゼンス情報を登録したテーブルの構成図である。
【図１７】本発明の第６の実施の形態に係る送信端末の記憶部に記憶される、自プレゼンス情報を登録したテーブルの構成図である。
【図１８】本発明の第６の実施の形態に係る受信端末の記憶部に記憶される、購読要求リストの説明図である。
【図１９】本発明の第６の実施の形態に係る送信端末の記憶部に記憶される、プレゼンス配布リストの説明図である。
【図２０】本発明の第６の実施の形態に係る送信端末と受信端末との間で行なうプレゼンス交換の手順を説明する図である。
【図２１】本発明の第６の実施の形態に係る受信端末のＣＰＵで実行されるプログラムの制御構造についての説明図である。
【図２２】本発明の第６の実施の形態に係る送信端末のＣＰＵで実行されるプログラムの制御構造についての説明図である。
【図２３】本発明の第６の実施の形態に係る送信端末のＣＰＵで実行されるプログラムの制御構造についての説明図である。
【図２４】本発明の第６の実施の形態に係る受信端末のＣＰＵで実行されるプログラムの制御構造についての説明図である。
【図２５】本発明の第６の実施の形態に係る送信端末から送信される信号Ｍ３の内容についての説明図である。
【図２６】本発明の第６の実施の形態に係る受信端末に出力される相手情報表示領域についての説明図である。の出力内容についての説明図である。
【符号の説明】
【０２２７】
１０００，２０００，３０００，３００２，３００４，３００６，３００８，４０００  送信端末、１１００，２１００，４１００  受信端末、１１０４  映像撮像装置、１１０６  音声集音部、１１０８  情報送信装置、１１１０  ネットワーク、１１１２  情報受信装置、１１１４  映像出力部、１１１６  音声出力部、１１２２  ＣＰＵ、１１２４  メモリ、１１２６  記憶部、１２０２  映像入力部、１２０４  回転部、１２０６  回転検出部、１２０８  映像符号化処理部、１２１０  符号化映像送信部、１２１２  焦点制御部、１２１６  音声符号化処理部、１２１８  符号化音声送信部、１２２０  音声送信遮断部、１２２２  通信部、１３０２  通信部、１３０４  符号化映像受信部、１３０６  映像復号化処理部、１３０８  符号化音声受信部、１３１０  音声復号化処理部、２１０２  映像送信遮断部、２１０４  状態情報生成部、２１０６  状態情報送信部、２１０８  照度情報生成部、２１００  受信端末、２１１０  照度情報送信部、２１１２  音量情報生成部、２１１４  音量情報送信部、２２０２  状態情報受信部、２２０４  状態情報解析部、２２０６  出力映像処理部、２２０８  照度情報受信部、２２１０  照度情報出力部、２２１２  音量情報受信部、２２１４  音量情報出力部、２３０２  画面表示領域、２３０４  静止画表示部、２３０６，４２０４  名前表示部、２３０８  照度情報表示部、２３１０  音量情報表示部、３１０２Ａ  遮光体、３１０２Ｂ  磨きガラス、３１０２Ｃ  鏡面体、３１０４，３１０４Ａ，３１０４Ｂ  映像遮断検出部、３２０２  穴、３２０４  レンズ、３２０６  絞り、３２０８  映像素子、３３０２  鏡、３３０４  遮光物質、３３０６  回転軸、３３０８  上から照射される部屋の光、４１０２  相手プレゼンス情報、４１０４  自プレゼンス情報、４１０６  購読要求リスト、４１０８  プレゼンス配布リスト、４２００  相手情報表示領域、４２０２  相手プレゼンス表示情報、４２０６  相手プレゼンスアイコン、４２０８  相手画像情報、４２１０  相手テレビ状態情報、４２１２  相手居室音量情報、４２１４  相手居室照度情報、４２１６  相手動き検出アイコン、４２１８  相手リモコン操作アイコン、４２２０  相手天気情報、４２２２  通話状態情報、４２２４  自画像情報、４２２６  現在時刻情報。
【図１】
2007027986.tif 000003
【図２】
2007027986.tif 000004
【図３】
2007027986.tif 000005
【図４】
2007027986.tif 000006
【図５】
2007027986.tif 000007
【図６】
2007027986.tif 000008
【図７】
2007027986.tif 000009
【図８】
2007027986.tif 000010
【図９】
2007027986.tif 000011
【図１０】
2007027986.tif 000012
【図１１】
2007027986.tif 000013
【図１２】
2007027986.tif 000014
【図１３】
2007027986.tif 000015
【図１４】
2007027986.tif 000016
【図１５】
2007027986.tif 000017
【図１６】
2007027986.tif 000018
【図１７】
2007027986.tif 000019
【図１８】
2007027986.tif 000020
【図１９】
2007027986.tif 000021
【図２０】
2007027986.tif 000022
【図２１】
2007027986.tif 000023
【図２２】
2007027986.tif 000024
【図２３】
2007027986.tif 000025
【図２４】
2007027986.tif 000026
【図２５】
2007027986.tif 000027
【図２６】
2007027986.tif 000028